(57)【要約】  本発明は、液体透過性トップシートと、前記トップシートと少なくとも部分的に接合された液体不透過性バックシートと、前記トップシートと前記バックシートとの間に少なくとも部分的に配設された吸収性コアと、を備え、前記バックシートの表面に印刷された湿り度インジケータをさらに備え、前記湿り度インジケータが、少なくとも１つの応答性色組成物及び前記応答性色組成物に隣接して配設されたニスコーティングを更に有する図形を含み、濡れた時に、前記図形が肉眼で視認され得る、使い捨て吸収性物品に関する。【特許請求の範囲】
【請求項１】
ａ）液体透過性トップシートと、
ｂ）前記トップシートに少なくとも部分的に接合された液体不透過性バックシートと、
ｃ）前記トップシートと前記バックシートとの間に少なくとも部分的に配設された吸収性コアと、を備え、
前記バックシートの表面に印刷された湿り度インジケータをさらに備え、前記湿り度インジケータが、少なくとも１つの応答性色組成物及び前記応答性色組成物に隣接して配設されたニスコーティングを更に有する図形を含み、濡れた時に、前記図形が肉眼で視認され得る、使い捨て吸収性物品。
【請求項２】
前記色組成物は、
ａ）前記組成物の約１重量％〜約１０重量％の流体色素と、
ｂ）前記組成物の約１０重量％〜約９９重量％の溶媒と、を含む、請求項１に記載の物品。
【請求項３】
前記溶媒は、アルコール、アセテート、及びこれらの組み合わせから成る群から選択される非水性溶媒である、請求項２に記載の物品。
【請求項４】
前記アルコールは、イソプロピルアルコール、ｎ−プロピルアルコール、エタノール、メタノール、及びこれらの組み合わせから成る群から選択される、請求項３に記載の物品。
【請求項５】
前記アセテートは、イソプロピルアセテート、ｎ−プロピルアセテート、及びこれらの組み合わせから成る群から選択される、請求項３に記載の物品。
【請求項６】
前記ニスコーティングは、アクリル系コポリマー、セラック系のアクリル系樹脂、ポリアミド、及びこれらの組み合わせから成る群から選択される材料を含む、請求項１に記載の物品。
【請求項７】
前記ニスコーティングは、前記応答性色組成物の上に配設される、請求項１に記載の物品。
【請求項８】
前記ニスコーティングは、前記応答性色組成物の下に配設される、請求項１に記載の物品。
【請求項９】
前記ニスコーティングは、前記応答性色組成物の下にさらに配設される、請求項８に記載の物品。
【請求項１０】
吸収性物品上に湿り度インジケータを印刷する方法であって、
ａ）トップシートとバックシートと吸収性コアとを含む吸収性物品を準備する工程と、
ｂ）少なくとも１つの応答性色組成物及び前記応答性色組成物に隣接して配設されたニスコーティングを更に有した図形を含む湿り度インジケータであって、濡れた時に、前記図形が肉眼で視認され得るようになる湿り度インジケータを、前記バックシートの表面に印刷することによって、前記バックシートと前記吸収性コアとの間に配設する工程と、を備えた方法。
【発明の詳細な説明】
【技術分野】
【０００１】
本発明は、濡れた時に現れる図形を有した湿り度インジケータを備える使い捨て吸収性物品に関する。図形は更に、少なくとも１つの応答性色組成物及び前記応答性色組成物の最上部に配設されたニスコーティングを含む。尿などの流体で濡れた時、図形は消費者又は着用者の肉眼ではっきり見えるようになる。
【背景技術】
【０００２】
使い捨て吸収性物品には、通常の特徴として図形を組み込むことが多い。大抵の場合これらの図形は製品のバックシートに適用されるので、この図形は製品が着用されている間は視認され得る。この図形は、バックシートの構成要素に直接印刷されているか、又はバックシート上に配設されるティッシュ層のような別個の層に印刷されてきた。
【０００３】
使い捨て吸収性物品に図形を組み込む理由は多数ある。例えば、図形は着用者及び購入者の両者に対し製品の外観を改善し、及び魅力を高める。図形はまた、使い捨て吸収性物品が使用される様式に影響を及ぼし得る。例えば、使い捨ておむつにある図形は、介護人がおむつをつけている子供を楽しませ及び／又は教育するために使用し得る。同様に、使い捨てトレーニングパンツにある図形は、トイレトレーニングのプロセスを促進すべく教育的且つ動機付けのための手法を提供できる。トレーニングパンツにある図形はまた、製品への子供の興味を増大させるように作用し、それによってトイレトレーニングの経過で子供の興味を高めることも出来る。
【発明の開示】
【発明が解決しようとする課題】
【０００４】
図形は更に、尿の排泄時を知らせるために使用できる。例えば、おむつのような使い捨て吸収性物品が、濡れた時に排泄を示すために現れる又は消失する図形を有することは当該技術分野において既知であった。しかし、これまで、吸収性製品のバックシートのフィルム部分に直接配設でき、液体に曝された時に消費者及び着用者の肉眼に最終的にはっきりと現れる図形を有し得る印刷図形を含む、使い捨て吸収性製品を供給することは不可能であった。
【課題を解決するための手段】
【０００５】
そのため、本発明は、
ａ）液体透過性トップシートと、
ｂ）前記トップシートに少なくとも部分的に接合された液体不透過性バックシートと、
ｃ）前記トップシートと前記バックシートとの間に少なくとも部分的に配設された吸収性コアと、を備え、
ｄ）前記バックシートの表面に印刷された湿り度インジケータをさらに備え、前期湿り度インジケータが、少なくとも１つの応答性色組成物及び前期応答性色組成物に隣接して配設されたニスコーティングを更に有する図形を含み、
濡れた時に、前記図形が肉眼で視認され得る、使い捨て吸収性物品に関する。
【発明を実施するための最良の形態】
【０００６】
定義
本明細書で使用する時、用語「吸収性物品」は、身体排泄物を吸収及び収容するデバイスを意味し、より具体的には、着用者の身体に接触し又は隣接して、身体から放出される様々な排泄物を吸収及び収容するデバイスを意味する。吸収性物品は、おむつ、トレーニングパンツ、成人失禁用下着、女性用衛生製品、胸パッド、ケアマット、よだれ掛け、創傷包帯製品などを含むことができる。本明細書で使用する時、「体液」又は「身体排泄物」という用語には、尿、血液、膣排泄物、母乳、汗及び糞便が挙げられるが、これらに限定されない。
【０００７】
本明細書で使用する時、「吸収性コア」という用語は、体液の獲得、移送、分配、及び貯蔵を含む、物品の流体処理特性に主として関与する吸収性物品の構成要素を指す。そのようなものとして、吸収性コアは典型的には、吸収性物品のトップシート、バックシート又は外側カバーを含まない。
【０００８】
本明細書で使用する時、「結合された」という用語は、少なくともそれらの一部分において取り付けられた（粘着的に又は接着剤によって）異なる材料のことを指す。取り付けられた部分は、ランダムであってもよく、又は縞、螺旋、点などのようなパターンを有していてもよい。取り付けられた部分は、その周辺にて、表面積全体を通じて、又はその両方に位置してもよい。当該技術分野において既知の好適な取り付け手段が使用されてもよく、それらとしては、接着剤、熱、圧力、けん縮加工、超音波、化学的（水素結合又はその他の粘着力によるもの）、機械的（例えば、ファスナ、もつれ）、水圧、真空及びこれらの組み合わせが挙げられるが、これらに限定されない。
【０００９】
本明細書で使用する時、「複合構造」という用語は、複数領域構造のことを指し、ここでそれらの領域を備える材料は作用関係で結び付けられ、又は結合され得る。それらの領域は更に、複合体が単一構造を有するように密接していてもよい。更にそれらの領域は、層状（向かい合わせ）配置又は並列に配置されてもよい。
【００１０】
本明細書で使用する時、「使い捨て」という用語は、通常の意味で使用され、様々な期間にわたって限られた使用回数の後、好ましくは約２０回未満、より好ましくは約１０回未満、更により好ましくは約５回未満、最も好ましくは約２回未満の後、処分又は廃棄される物品を意味する。
【００１１】
本明細書で使用する時、「密着結合」という用語は、視認的に容易に同定可能な分離領域には分離しない２つの層間における物理的接触のことを指す。１つの特定実施形態において、内側層及び外側層は、メルトブローイング工程を用いて図形領域にて互いに接着剤によって積層されて、接着剤フィラメントの重なり合った網状組織を形成する。
【００１２】
本明細書で使用する時、用語「接合される」とは、ある要素が他の要素に直接取り付けられることにより他の要素に直接固定される構成と、ある要素が中間部材に取り付けられ、次にその中間部材が他の要素に取り付けられることにより他の要素に間接的に固定される構成とを包含する。
【００１３】
用語「マクロ孔質」とは、細孔が大きすぎて流体の毛管移送ができない材料を指し、一般に直径が約０．５ミリメートルよりも大きい孔を有し、より厳密には、直径が約１．０ミリメートルより大きい孔を有する。
【００１４】
本明細書で使用する時、「メルトブロー」及び「メルトブローウェブ」という用語は、溶融熱可塑性材料を融解した糸又はフィラメントとして複数の精密な、通常は環状の金型（die）毛管を通して、溶融フィラメントを弱めてその直径を減少させる収束高速加熱ガス／空気流に押し出すことによって形成される繊維を有するウェブを指す。繊維直径の減少は、スパンボンディングプロセスにおける繊維直径の減少よりも実質的に大きく、結果として微小繊維は０．２ミクロンより大きく、通常は０．６〜１０ミクロンの範囲の平均繊維直径を有する。その後、高速ガス流によって、メルトブロー繊維は移動し、収集面上に堆積し、ランダムに分配された（disbursed）繊維のウェブを形成する。様々なメルトブロープロセスが当該技術分野において知られている。
【００１５】
本明細書で使用する時、用語「ミクロ孔質」とは、毛管作用により流体を移送できる材料を指す。
【００１６】
本明細書で使用する時、用語「不織布」及び「不織布ウェブ」は、インターレイされ、マトリックスを形成するが、同定可能な繰り返し性のない、個別の繊維の構造を有するウェブを指す。不織布ウェブは、当業者に既知の様々なプロセス、例えばメルトブローイング、スパンボンディング、湿式載置、空気載置、及び種々の結合カーディングプロセスによって形成されてもよい。
【００１７】
本明細書で使用する時、「作用関係で結び付けられた」という用語は、使用中に、少なくとも互いに部分的に接触して配置される異なる材料を備える構造を指す。それらの材料は、物理的に分離可能であり、それぞれは個々に測定可能な特性を示す。それらの材料は、ｚ次元にて向かい合わせの関係で、又はｘｙ次元にて並列関係で配置されてもよい。
【００１８】
本明細書で使用する時、「パルプ」又は「セルロース繊維」という用語は、木又は植物（例えば、広葉樹繊維、針葉樹繊維、麻布、綿、亜麻、エスパルト草、トウワタ、わら、バガスなど）に由来する天然繊維、それらの加工／再生繊維（例えば、レーヨン（登録商標））、又は化学的に誘導体化された繊維（例えば、セルロースエステル）及びこれらの組み合わせを含む。好適な広葉樹繊維としては、ユーカリノキ繊維が挙げられる。好適な広葉樹繊維は、クラフト又はその他の化学的パルプ化方法によって調製されてもよい。好適な針葉樹繊維としては、南方針葉樹（ＳＳ）繊維及び北方針葉樹（ＮＳ）繊維が挙げられる。本明細書に用いるための針葉樹繊維は、化学的にパルプ化でき（例えば、制限されないが、クラフトパルプ）、又は機械的にパルプ化できる（例えば、制限されないが、ケミサーモメカニカルパルプ（ＣＴＭＰ）及びサーモメカニカルパルプ（ＴＭＰ））。
【００１９】
本明細書で使用する時、用語「領域」は、周りの材料又は隣接する材料から物理的、化学的、又は視認的に区別可能な材料を備える区域又は域を指す。材料の種々の領域は、中間に移行領域を含んでいてもよい。領域は、ｚ次元又はｘｙ次元に配置されてもよい。本明細書で使用する場合、用語「ｚ次元」とは、構造又は物品の長さ及び幅に直交する次元を指す。ｚ次元は、通常、構造又は物品の厚さに対応する。本明細書で使用する時、「ｘｙ次元」という用語は、部材、コア又は物品を平らに広げた（flat-out）状態で部材、コア又は物品の厚さに直交する平面を指す。ｘｙ次元は、通常、平らに広げた状態での構造又は物品において、それぞれ長さ及び幅に対応する。
【００２０】
本明細書で使用する時、「スパンボンド」及び「スパンボンドウェブ」という用語は、溶融した熱可塑性材料を、円形又はその他の構成を有する紡糸口金の複数の微細な毛管からフィラメントとして押し出し、次いで流体引き延ばし又はその他の周知のスパンボンディング機構によって押し出されたフィラメントの直径を急速に減少させることによって形成される繊維を有するウェブを指す。スパンボンド繊維は収集面に堆積する時冷却され、概して粘着性はない。スパンボンド繊維は、一般に連続性があり、平均約１０〜約３０ミクロンを有することが多い。
【００２１】
本明細書で使用する時、「単一構造」という用語は、材料が物理的には実質的に分離できず、単一構造がその中にある材料の組み合わせから得られる特性を示すように互いに接合された、単一物を形成する異なる特徴を備える材料を含む構造を指す。それらの材料は、ｚ次元にて向かい合わせの関係で、又はｘｙ次元にて並列関係で配置されてもよい。
【００２２】
次の詳細な説明は吸収性物品を対象とする。しかし、本明細書で論じられる全体の概念が同様にその他の衛生製品又はヘルスケア製品、例えば包帯、包帯剤、拭き取り用品、よだれ掛け、手術布、手術着などに使用するために適用できるように、開示される物品は変更できる可能性が高い。
【００２３】
吸収性物品
本発明の吸収性物品は、液体透過性トップシートと、前記該トップシートに少なくとも部分的に接合された液体不透過性バックシートと、前記トップシートと前記バックシートとの間に少なくとも部分的に配設された吸収性コアと、を備え、前記バックシートの表面に印刷された湿り度インジケータをさらに備え、前記湿り度インジケータが、少なくとも１つの応答性色組成物及び前記応答性色組成物に隣接して配設されたニスコーティングを更に有する図形を含み、濡れた時に、前記図形が肉眼で視認され得る。
【００２４】
特定実施形態において、吸収性物品は、外側カバー、サイドパネル、カフ、弾性要素、締着装置、及びこれらの組み合わせから成る群から選択される１以上の構成要素を更に含んでいてもよい。
【００２５】
吸収性物品、例えばおむつの本体は、少なくとも吸収性コア及びトップシートを含む。外側カバーはシャーシを形成し、その上におむつの他の構成成分が追加されておむつの単一構造を形成する。別の実施形態において、物品は製造者によって予備成形されてパンツを形成してもよい。本明細書で使用する時、「パンツ」という用語は、幼児又は成人の着用者のために設計された、ウエスト開口部及び脚開口部を有する使い捨て衣類のことを指す。パンツは、着用者の脚を脚開口部の中に挿入し、パンツを着用者の胴体下部の周囲の位置へと滑らせることによって、着用者上の適所に配置され得る。パンツは、いずれかの好適な技術によって予備成形されてもよく、それらの技術としては、再締着可能及び／又は再締着不可能な結合（例えば、シーム、溶接、接着剤、粘着結合、締結具など）を用いて物品の各部分を共に接合することが挙げられるが、これらに限定されない。本明細書にて「パンツ」という用語が使用されるが、パンツはまた一般に「閉鎖型おむつ」、「予備締着型おむつ」、「プルオンおむつ」、「トレーニングパンツ」及び「おむつパンツ」と一般に称される。好適なパンツは、米国特許第５，２４６，４３３号；米国特許第５，５６９，２３４号、米国特許第６，１２０，４８７号、米国特許第６，１２０，４８９号、米国特許第４，９４０，４６４号、米国特許第５，０９２，８６１号、米国特許第５，８９７，５４５号、米国特許第５，９５７，９０８号、及び米国特許公開２００３／０２３３０８２Ａ１に開示される。
【００２６】
トップシート
本発明の吸収性物品はトップシートを含む。トップシートは、順応性があり、柔らかな感触で、着用者の皮膚を刺激しないことが好ましい。それは、一方向又は二方向に弾性的に伸縮可能である。更に、トップシートは液体透過性であり、液体（例えば、経血、尿、及び／又は垂れやすい糞便）はその厚さを容易に通過することができる。好適なトップシートは、織布及び不織布材料、孔あき又はハイドロフォーミングされた熱可塑性フィルム、多孔質発泡体、網状発泡体、網状熱可塑性フィルム、及び熱可塑性スクリムのような広範囲な材料から製造できる。好適な織布及び不織布材料は、天然繊維、例えば木材又は綿繊維、合成繊維、例えばポリエステル、ポリプロピレン、又はポリエチレン繊維、又はこれらの組み合わせを含んでいてもよい。トップシートが繊維を含む場合、繊維はスパンボンド、カード、湿式載置、メルトブロー、水流交絡されていてもよく、又は当該技術分野において既知のように処理されていてもよい。ステープル長さのポリプロピレン繊維のウェブを備える１つの好適なトップシートは、商標名Ｐ−８の表記でヴェラテック（Veratec, Inc.）（マサチューセッツ州ウォルポールの国際紙会社部門（Division of International Paper Company））によって製造される。
【００２７】
本発明に使用する好ましいトップシートは、嵩高不織布トップシート及び孔あきフィルムトップシートから選択される。孔あきフィルムトップシートは、通常、排泄物に対して透過性であるが、非吸収性であり、着用者の皮膚に流体を戻して再湿潤させる傾向が低い。好適な孔あきフィルムとしては、米国特許第５，６２８，０９７号、米国特許第５，９１６，６６１号、米国特許第６，５４５，１９７号、米国特許第６，１０７，５３９号、及びＰＣＴ国際公開特許ＷＯ００／６９３８２Ａ２に記載されるものが挙げられる。
【００２８】
更に、固体の排出物を堆積させるための好適なトップシート材料は、少なくとも物品の糞便堆積領域に位置合わせされた部分に孔を有する不織布を含んでいてもよい。好適な孔あき不織布は、米国特許第６，４１４，２１５号、米国特許第５，３４２，３３８号、及び米国特許第５，９４１，８６４号、及び米国特許公開２００２／０１７３７６により詳細に記載されている。糞便処理物品の別の実施形態において、こうしたトップシートは糞便処理部材、例えばこうしたトップシートの下層にある部材と組み合わせられ得るが、それらは上述の特許文献に更に記載される。
【００２９】
好適な成形フィルムトップシートは、米国特許第３，９２９，１３５号、米国特許第４，３２４，２４６号、米国特許第４，３４２，３１４号、米国特許第４，４６３，０４５号、米国特許第５，００６，３９４号に記載されている。他の好適なトップシートは、米国特許第４，６０９，５１８号及び米国特許第４，６２９，６４３号に従って製造されてもよい。こうした成形フィルムは、プロクター・アンド・ギャンブル社（The Procter & Gamble Company）（オハイオ州シンシナティ）から「ドライウィーブ（DRI-WEAVE）」として、及びトレデガー（Tredegar Corporation）（バージニア州リッチモンドを拠点とする）から「ＣＬＩＦＦ−Ｔ」として入手可能である。
【００３０】
好ましくは、トップシートの少なくとも一部は、吸収性コアに収容された液体と着用者の皮膚とを離すために、疎水性材料から作製されるか、又は疎水性であるように処理される。トップシートが疎水性材料から作製される場合、好ましくはトップシートの上面の少なくとも一部は、親水性であるように処理されて、液体はトップシートを通ってより迅速に移動する。トップシートは、界面活性剤で処理することによって、又は界面活性剤をトップシートに組み込むことによって親水性にされ得る。トップシートを界面活性剤により処理するための好適な方法には、トップシート材料に界面活性剤を噴霧すること、及び／又は材料を界面活性剤中に浸漬することが挙げられる。こうした処理及び親水性のより詳細な議論は、米国特許第４，９８８，３４４号、米国特許第４，９８８，３４５号、及び米国特許第４，９５０，２５４号に含まれている。トップシート２４に界面活性剤を組み込む特定の好適な方法のより詳細な議論は、米国法定発明登録番号Ｈ１６７０に見出すことができる。或いは、トップシートは疎水性の孔あきウェブ又はフィルムを含んでいてもよい。これは、製造プロセスから親水性化処理工程を削除する、及び／又はトップシートに疎水性処理を適用する、例えば以下に記載されるような、ＳＣＯＴＣＨＧＵＡＲＤのようなポリテトラフルオロエチレン化合物又は疎水性ローション組成物を適用することによって達成されてもよい。こうした実施形態において、開口は、顕著な抵抗なく、尿のような水性流体の浸透を可能にするのに十分な大きさであるのが好ましい。
【００３１】
トップシートのいずれかの部分を、当該技術分野で既知のローションでコーティングしてもよい。好適なローションの例としては、米国特許第５，６０７，７６０号、米国特許第５，６０９，５８７号、米国特許第５，６３５，１９１号、米国特許第５，６４３，５８８号、及び米国特許第５，９６８，０２５号に記載されるものが挙げられる。ローションは、単独で機能してもよく、又は上述の疎水性化処理のような別の試薬と組み合わせて機能してもよい。トップシートはまた、抗菌剤を含んでもよく、又は抗菌剤で処理されてもよく、それらの特定例はＰＣＴ国際公開特許ＷＯ９５／２４１７３に開示される。更に、トップシート、外側カバー、又はトップシート若しくは外側カバーのいずれかの部分は、エンボス加工及び／又はマット仕上げ加工が施されて、より布に近い外観を提供することも可能である。
【００３２】
トップシートは、１以上の開口を含み、そこを通って排泄物、例えば尿及び／又は糞便（固体、半固体又は液体）を容易に浸透させることも可能である。少なくとも主要な開口の大きさは、所望の排泄物封入性能を達成するのに重要である。主要な開口が小さ過ぎると、排泄物源と開口位置の位置合わせが不充分であったり、又は開口よりも大きい直径を有する糞便塊のために排泄物が開口を通過できない。開口が大き過ぎると、（物品からの）「再湿潤」によって汚染され得る皮膚面積が増大する。通常、開口は、約１０ｃｍ２〜約５０ｃｍ２の面積を有するべきである。開口は、好ましくは約１５ｃｍ２〜約３５ｃｍ２の面積を有する。
【００３３】
更にトップシートは、トップシートとコアとの間に空間をもたらすために、全体的に若しくは部分的に伸縮性を持たせることも又は短縮させることも可能である。弾性化又は短縮化トップシートを含む代表的な構造は、米国特許第４，８９２，５３６号、米国特許第４，９９０，１４７号、米国特許第５，０３７，４１６号、及び米国特許第５，２６９，７７５号により詳細に記載されている。
【００３４】
バックシート
バックシートは好ましくは、流体（例として、経血、尿及び／又は垂れやすい糞尿）に不浸透性であり、好ましくは薄い可塑性フィルムから製造されるが、他の可撓性液体不浸透性材料も使用し得る。本明細書で使用する時、用語「可撓性」とは、順応性があって、ヒトの身体の一般的な形や輪郭に容易に従う材料を指す。バックシートは、吸収性コアに吸収及び収容された排泄物が、吸収性物品に接触する物品、例えば、ベッドシーツ、パンツ、パジャマ及び下着を濡らすのを防ぐ。故に、バックシートは織布材料及び不織布材料、ポリエチレン又はポリプロピレンの熱可塑性フィルムのようなポリマーフィルム、及び／又はフィルムコーティング不織布材料のような複合材料（即ち、内部フィルム層及び外側不織布層を有する）を含んでいてもよい。好適なバックシートは、約０．０１２ｍｍ（０．５ミル）〜約０．０５１ｍｍ（２．０ミル）の厚さを有するポリエチレンフィルムである。代表的なポリエチレンフィルムが、オハイオ州シンシナティのクロペイ社（Clopay Corporation）によりＢＲ−１２０及びＢＲ−１２１の表記で、及びインディアナ州テレホート（Terre Haute）のトレデガー・フィルム・プロダクツ（Tredegar Film Products）によりＸＰ−３９３８５の表記で製造されている。バックシートには、好ましくは、より布地様の外観を持つようにエンボス加工及び／又はマット仕上げ加工を施す。更に、バックシートは、排泄物がバックシートを通過するのを防ぎ続ける一方で、蒸気を吸収性コアから逃がすことも可能である（即ち、バックシートは通気性である）。バックシートの大きさは、吸収性コアの大きさ及び選択される正確な吸収性物品のデザインにより決定される。
【００３５】
バックシート及びトップシートはそれぞれ、吸収性コアの衣類面並びに身体面に隣接して位置付けられる。吸収性コアは、好ましくは当該技術分野において周知な取り付け手段によって既知のあらゆる方法で、トップシート、バックシート、又は両方のシートに接合される。しかしながら、本発明の実施形態は、吸収性コア全体の一部がトップシート及びバックシートの１つ、又は両方に取り付けられていない場合も想定する。
【００３６】
例えば、バックシート及び／又はトップシートは、接着剤の均一な連続層、接着剤の模様付き層、又は接着剤の別個の線、螺旋、若しくは点の配列により、吸収性コアに又は相互に固定され得る。満足のいくものであることが判明した接着剤は、ミネソタ州セントポールのＨ．Ｂ．フラー社（H.B.Fuller Company）によって、名称ＨＬ−１２５８又はＨ−２０３１の表記で製造される。取り付け手段は、米国特許第４，５７３，９８６号に開示されるように、接着剤のフィラメントの開放パターン網状組織を含むのが好ましい。フィラメントの開放パターン網状組織の代表的な取り付け手段は、米国特許第３，９１１，１７３号、米国特許第４，７８５，９９６号、及び米国特許第４，８４２，６６６号に示される装置及び方法によって示されるような螺旋パターンに旋回された接着剤フィラメントのいくつかの線を含む。或いは、取り付け手段は、熱結合、圧力結合、超音波結合、動的機械的結合、若しくは他のいずれかの好適な取り付け手段、又は当該技術分野で既知のようにこれら取り付け手段の組み合わせを含んでもよい。
【００３７】
バックシートは、好ましくは内側層及び外側層を含み、それぞれ一方が当該技術分野において既知の様々な手段によって他方に結合され得、その手段としては熱結合、接着剤結合、超音波積層などが挙げられる。図形領域における内側層と外側層の密着結合は、光回折を低減し、それによって白色度及び湿り度インジケータ図形の全体的な視認性を改善する。接着剤結合はまた、接着剤スロットコーティング、高周波数振動パターン、例えば旋回又はスプレーパターン、及びその他の微細デニール及び／又は適用範囲の広い塗布技術を用いて達成できる。連続又は断続的に適用できる好適な積層接着剤は、フィンドリー・アドヘシブズ社（Findley Adhesives, Inc.）又はナショナル・スターチ・アンド・ケミカル社（National Starch and Chemical Company）から得ることができる。
【００３８】
バックシートの外側層は、異なるプロセスを用いて種々の形態に製造できる。例えば、外側層は、カードウエブ、結合されたカードウエブ、スパンボンドウェブ、ニードル布、織布などとして形成されて、概して布様の肌ざわりを着用者に提供してもよい。二酸化チタンのような他の添加剤は、外側層の約０．５％以下、特に約０．３％以下であり得る。１つの特定実施形態において、外側層は、約９９．５〜１００％のポリプロピレン樹脂及び約０．５％以下の他の添加剤から形成されるスパンボンドウェブを含む。外側層は、望ましくは、約１５〜約３０ｇ／ｍ２、より好ましくは約１５〜約２５ｇ／ｍ２の坪量を有する軽量材料である。
【００３９】
吸収性コア
本発明の物品は、１以上の吸収性コアを更に含む。吸収性コアは、トップシートとバックシートとの間に少なくとも部分的に配設され、使い捨て吸収性物品と適合性のあるいずれかの大きさ又は形状をとることができる。広く支持され及び商業的成功を収めた、本発明の吸収性コアとして用いるための代表的な吸収性構造体は、米国特許第４，６１０，６７８号、米国特許第４，６７３，４０２号、米国特許第４，８８８，２３１号、及び米国特許第４，８３４，７３５号に記載されている。吸収性コアは更に、米国特許第５，２３４，４２３号及び米国特許第５，１４７，３４５号に詳細に記載されるように、吸収性貯蔵コア全体に位置付けられる化学的に剛化された繊維の獲得／分配コアを含有する２重コアシステムを含んでもよい。
【００４０】
一般に、吸収性コアは、液体（例えば、経血、尿、及び／又は他の身体排泄物）を吸収又は保持することができる。吸収性コアは、好ましくは、圧縮可能で、適合性があり、及び着用者の皮膚を刺激しない。吸収性コアは、多種多様な寸法及び形状で製造されてもよい（例として、四角形、楕円形、砂時計形、「Ｔ」字形、「Ｉ（dog bone）」字形、非対称形など）。吸収性コアは、吸収性物品において一般的に用いられる多種多様な液体吸収材料のいずれか、例えば一般にエアフェルトと呼ばれる粉砕木材パルプを包含してもよい。吸収性コアで用いるための他の好適な吸収材料の例としては、クレープセルロースの詰め綿、コフォームを包含するメルトブローポリマー、化学的に剛化され修飾された又は架橋されたセルロース繊維、けん縮ポリエステル繊維のような合成繊維、ピートモス、ティッシュラップ及びティッシュラミネートを包含するティッシュ、吸収性発泡体、吸収性スポンジ、超吸収性ポリマー、吸収性ゲル材料、又はいずれかの同等の材料若しくは材料の組み合わせ、又はこれらの混合物が挙げられる。
【００４１】
本明細書で論じる時、「吸収性ゲル材料」及び「超吸収性ポリマー」は、体液のような水性流体と接触する時、こうした流体を吸収し、ヒドロゲルを形成する材料である。これらの吸収性ゲル材料は、一般に大量の水性体液を吸収することができ、更にそのような吸収した流体を適度の圧力下で保持することができる。これらの吸収性ゲル材料は、一般的に繊維粒子ではない離散粒子の形態である。他の形態、例えば繊維、フォーム、シート、縞又はその他の巨大構造も本明細書に用いるのに好適である。連続気泡発泡体の形態の好適な吸収性ゲル材料としては、米国特許第３，５６３，２４３号、米国特許第４，５５４，２９７号、米国特許第４，７４０，５２０号、及び米国特許第５，２６０，３４５号に開示されるものを挙げることが可能である。
【００４２】
吸収性コアの構成及び構造もまた、変化してもよい（例えば、吸収性コアは、変化するキャリパー領域を有してもよいし及び／又は中央がより厚くなるような断面、親水性勾配、超吸収性勾配、若しくはより低い平均密度及びより低い平均坪量領域、例えば獲得領域を有してもよく、又は１以上の層又は構造体を含んでもよい）。しかしながら吸収性コアの全体の吸収能力は、設計負荷、及び吸収性物品の意図される用途に適合するべきである。更に吸収性コアの大きさ及び吸収能力は、おむつ、失禁用パッド、パンティライナー、標準サイズの生理用ナプキン、及び夜用生理用ナプキンのような異なる用途に適応するために、及び幼児から成人までの範囲の着用者に適応するために変化してもよい。吸収性コアは、吸収性物品によく用いられる他の吸収性構成要素、例えばダスティング層、ウィッキング又は獲得層、又は着用者の快適さを高めるための第２トップシートを包含することができる。
【００４３】
本発明の特定実施形態において、吸収性物品はまた、トップシートとバックシートとの間に配設される副層を含んでいてもよい。副層は、身体排泄物を受入れる、貯蔵する、又は不動化することができるいかなる材料又は構造部材であることも可能である。故に、副層は、作用関係で相互に結び付けられた単一材料又は多くの材料を含むことも可能である。更に、副層は、吸収性物品の他の要素と単一であることも、吸収性物品の１以上の要素と直接的に若しくは間接的に接合した１以上の独立した要素であることもあり得る。更に、副層は、コアから分離している構造部材を含むことも、コアの少なくとも一部分を含むか若しくは一部分であることもあり得る。
【００４４】
副層として使用する好適な材料には、大形開放気泡発泡体、マクロ孔質耐圧縮性不織布嵩高品、開放及び閉塞気泡発泡材の大形の粒状成形物（マクロ及び／又はミクロ孔質）、嵩高不織布、ポリオレフィン、ポリスチレン、ポリウレタン発泡体若しくは粒状物、多数の垂直配向のループ状繊維ストランドを備える構造部材、打ち抜き穴若しくは窪みを有する上述の吸収性コアの構造部材、などを挙げることが可能である。副層の一実施形態は、非圧縮厚さ約１．５ｍｍを有する、機械的に締着するループランディング要素を含み、ミネソタ州ミネアポリス（Minneapolis）の３Ｍ社からＸＰＬ−７１２４として入手できる。他の実施形態は、１平方メートルあたり１１０グラムの坪量及び７．９ｍｍの非圧縮厚さを有する６デニールのけん縮され、樹脂結合された嵩高不織布を含み、その材料は、ジョージア州レンス（Wrens）にあるグリット社（the Glit Company）から入手できる。他の好適な吸収性及び非吸収性副層は、米国特許第６，６８０，４２２号及び米国特許第５，９４１，８６４号に記載される。更に、副層又はそのいずれかの部分は、要素の性能又は他の特性を加える、強化する、又は変えるために、ローション、若しくは他の既知の材料を含むことも、又はそれでコーティングされることもあり得る。
【００４５】
湿り度インジケータ
本発明の使い捨て吸収性物品は更に、前記バックシートのフィルム表面に印刷された湿り度インジケータを含む。湿り度インジケータは、少なくとも１つの応答性色組成物及び該応答性色組成物に隣接して配設されたニスコーティングを更に有する図形を含む。大部分の実施形態において、図形は、最小限に視認され得（すなわち透明）であり、通常、印刷されたバックシートの色が想定されているため、濡れる前には隠れている。しかし、濡れた時、図形は肉眼で視認され得る。
【００４６】
本発明によれば、応答性色組成物は、組成物の約１重量％〜約１０重量％、より好ましくは約２重量％〜約８重量％、最も好ましくは約３重量％〜約７重量％の流体色素を含む。
【００４７】
好適な流体色素としては、水溶性インク着色剤、例えば直接染料、酸染料、塩基染料、及び種々の溶媒可溶性染料が挙げられる。例としては、Ｃ．Ｉ．アシッドイエロー７３、Ｃ．Ｉ．ソルベントイエロー９４、Ｃ．Ｉ．アシッドイエロー７４、Ｃ．Ｉ．ソルベントオレンジ３２、Ｃ．Ｉ．ソルベントレッド４２、Ｃ．Ｉ．アシッドオレンジ１１、Ｃ．Ｉ．ソルベントレッド７２、Ｃ．Ｉ．ピグメントオレンジ３９、Ｃ．Ｉ．ソルベントオレンジ１８、Ｃ．Ｉ．アシッドレッド８７、Ｃ．Ｉ．ソルベントレッド４３、Ｃ．Ｉ．ピグメントレッド９０：１、Ｃ．Ｉ．ソルベントレッド４４、Ｃ．Ｉ．ソルベントレッド４５、Ｃ．Ｉ．ソルベントオレンジ１６、Ｃ．Ｉ．アシッドレッド９１、Ｃ．Ｉ．アシッドレッド９８、Ｃ．Ｉ．アシッドレッド９２、Ｃ．Ｉ．ソルベントレッド４８、Ｃ．Ｉ．ピグメントレッド１７４、Ｃ．Ｉ．アシッドレッド９５、Ｃ．Ｉ．ソルベントレッド７３、Ｃ．Ｉ．ピグメントレッド１９１、Ｃ．Ｉ．アシッドレッド５１、Ｃ．Ｉ．フードレッド１４、Ｃ．Ｉ．ピグメントレッド１７２、Ｃ．Ｉ．ソルベントレッド１４０、Ｃ．Ｉ．アシッドレッド９３、Ｃ．Ｉ．ソルベントレッド４７、Ｃ．Ｉ．アシッドレッド９４、Ｃ．Ｉ．ソルベントレッド１４１、Ｃ．Ｉ．モーダントバイオレット２５、Ｃ．Ｉ．ソルベントオレンジ１７、Ｃ．Ｉ．ソルベントレッド４６、医薬品及び化粧品用レッド２７（Ｃ．Ｉ．４５４１０：１）、医薬品及び化粧品用オレンジ５（Ｃ．Ｉ．４５３７０：２）、及びこれらの組み合わせが挙げられるが、これらに限定されない。より好ましい流体色素は、医薬品及び化粧品用レッド２７、医薬品及び化粧品用オレンジ５、及びこれらの組み合わせから成る群から選択される。
【００４８】
理論によって制限されることなく、本発明者らは、流体と接触した時に、以下に記載されるニスコーティングが部分的に溶解し、コーティングにクラックを形成すると考える。液体がこうしたクラックから浸透し、次いで応答性色組成物（又はインク）のラクトン基剤と反応し、カルボン酸を形成し、結果として最終的な色が現れる。以下の図は、この反応を例示する。
【化１】
2007532273.tif 000002
【００４９】
本発明の溶媒は、好ましくは非水性溶媒である。好ましい非水性溶媒は、アルコール、アセテート、及びこれらの組み合わせを含んでよい。アルコール溶媒は、好ましくはイソプロピルアルコール、ｎ−プロピルアルコール、エタノール、メタノール、及びこれらの組み合わせから成る群から選択される。同様に、好適なアセテート溶媒としては、イソプロピルアセテート、ｎ−プロピルアセテート、及びこれらの組み合わせが挙げられるが、これらに限定されない。応答性の色組成物は、組成物の約１０重量％〜約９９重量％の溶媒を含むのが好ましい。より好ましくは、応答性色組成物は約３０％〜約８０％、更により好ましくは約４０％〜約７５％の溶媒を含む。
【００５０】
代表的な応答性色組成物は、おむつ用Ａ  ＩＣＡパンツ（日本語からの翻訳）としてオオサカ・プリンティング・インダストリーズ（Osaka Printing Industries）から市販されているインクである。
【００５１】
ニスコーティング
本発明の応答性色組成物は、ニスコーティングに隣接して配設される。理論によって制限されることなく、このコーティングは応答性色組成物用のシーラント種として作用する。水性液体と接触した時、液体によって部分的に溶解したニスコーティングが、コーティング中にクラック又は侵入点を形成し、それが後に液体を応答性色組成物と接触可能にするため、図形は肉眼で視認され得る。液体と接触すると、応答性色組成物（第１及び第２の両方）は、図形形成を意図した色を示し始める。ニスコーティングに好適な材料は、アクリル系コポリマー、セラック系のアクリル系樹脂、ポリアミド、及びこれらの組み合わせから成る群から選択されてもよい。これらの材料は、代表的なものであることを意図するが、いかなる方法においても制限されない。更に、ニスコーティングは、応答性色組成物によって形成される図形の上に、図形の下に、又はその両方に配設されてもよい。また、ニスコーティングは、コーティングの１以上の縁部が図形の１以上の縁部を少なくとも約２５％越えて延びるように図形に隣接して配設されるのが好ましい。より好ましくはニスコーティングは、図形の１以上の縁部を越えて少なくとも約１５％、最も好ましくは少なくとも約１０％延びる。
【００５２】
バックシートの図形は、吸収性物品の外面にて直接視認され得、子供には特に魅力的である。また親及び介護人は、こうした湿り度インジケータの図形を教育的及び動機付けツールとしてトイレトレーニグプロセスを進めるために使用できる。故に、湿り度インジケータ図形は、印刷方法によってバックシートに配設されるのが好適である。「配設」という用語及びその用語の変形は、１つの要素が別の要素と共に単一化され得るか、或いは１つの要素が、別の要素に結合されるか、又は別の要素の側若しくは近くに置かれる別個の構造であり得ることを意味すると意図する。故に、図形は外側カバーの表面に直接又は間接的に形成又は適用され得、複数層の外側カバーの層間に形成又は適用され得、外側カバーの側又は近くに置かれた基材に形成又は適用され得、外側カバー又は別の基材の層内に形成又は適用され得、或いはその他の変形又はこれらの組み合わせで形成又は適用され得る。
【００５３】
好ましい実施形態において、図形は（フレキソ印刷、グラビア、デジタル印刷などによって）印刷できる。こうした印刷に関して、物品が濡れた時に多色図形が達成されるように多数の追加の応答性色組成物が利用可能であることを想定している。使用される印刷方法の種類に拘わらず、好ましい印刷速度は、約５０ｍ／分〜約５００ｍ／分、好ましくは約１００ｍ／分〜約３００ｍ／分の範囲である。好ましい実施形態において、印刷速度は約２００ｍ／分に設定される。更に、多色印刷プレスが利用されて、色組成物を用いてバックシート材料上に図形が印刷され、ニスコーティングが異なる印刷位置から連続的に印刷される。
【００５４】
更に、他の図形が、バックシートの層にスプレーされるか、ないしは別の方法で直接適用されてもよい。例えば、別の実施形態において、図形は、バックシート、例えば吸収性アセンブリと結び付けられた基材の側又は近くの層に適用され得、そうした基材としては、ティッシュ層、液体処理層、吸収性層などが挙げられるがこれらに限定されない。
【００５５】
本発明と共に用いる図形は、図形が濡れた時に製品の外側から視認され続ける限り、バックシートのいずれかの表面（すなわち、下着に面する（別名外側）表面又は身体に面する（別名内側）表面）上又はその表面に接触して位置できる。好ましい実施形態において、湿り度インジケータ図形は、バックシートの内面に印刷される。
【００５６】
湿り度インジケータは、製品の吸収性アセンブリと液体連通できる。本明細書で使用する時、「液体連通」という用語は、尿のような液体が１つの層又は要素から別の層又は要素に移動できることを意味する。吸収性アセンブリは、必須ではないが、スロット又は緻密化領域を含み、液体分配層などを組み込み、液体を図形が位置するバックシート及び／又は外側カバーの近くの位置に運ぶ又は向けることができる。
【００５７】
本発明として使用するのに好適な吸収性物品としては、おむつ、トレーニングパンツ、失禁製品、おむつパンツ、使い捨て下着などが挙げられる。好適なトレーニングパンツ及びおむつパンツは、継ぎ合わされた側部部分又は再締着可能な側部部分を有することができる。本発明は、トレーニングパンツ又はおむつパンツに使用するのに特に適しており、トイレトレーニグの助けとなる。本発明と共に使用するのに好適な特定のおむつ及びトレーニングパンツは、米国特許第３，８６０，００３号、米国特許第４，６３６，２０７号、米国特許第４，６９５，２７８号、米国特許第４，７０４，１１５号、米国特許第４，７９５，４５４号、米国特許第４，９００，３１７号、米国特許第４，９０９，８０３号（ＵＳＲＥ３４９２０として再発行）、米国特許第５，０８５，６５４号、米国特許第５，４９２，７５１号、米国特許第６，４７６，２８８号、米国特許第６，６２７，７８７号、米国特許第５，５０７，７６０号、米国特許第５，６０９，５８７号、米国特許第５，６３５，１９１号、米国特許第５，６４３，５８８号、米国特許第６，１１８，０４１号、ＳＩＲ  Ｈ１６３０、米国特許第５，２４６，４３３号、米国特許第５，７６９，８３８号、米国特許第５，８９９，８９５号、米国特許第５，８９９，８９６号、及び米国特許第６，１２０，４８７に開示される。好適なトレーニングパンツを論じている更なる特許は、本明細書にて冒頭に開示される。
【００５８】
好ましい実施形態では、吸収性物品は更に、液体及びその他の身体排泄物の改善された収容を提供するために、少なくとも第１カフと、改善された適合及び収容を提供する伸縮性ウエスト機構と、吸収性物品の外周の周囲に横向きの張力を保持して吸収性物品を着用者の上に保持するように、第１ウエスト領域及び第２ウエスト領域を重ね合わせた構成に保持する横腹の閉鎖を形成する締着装置と、を備える。吸収性物品はまた、吸収性物品のより快適な及び体型に合った適合並びにより有効な適用を提供する伸縮自在に伸ばせる機構を提供するために、伸縮性サイドパネル（図示されず）をウエスト領域内に備えることも可能である。
【００５９】
「弾性化」レッグカフは、多数の異なる配置にて構成され得、それらとしては、米国特許第３，８６０，００３号、米国特許第４，６３６，２０７号、米国特許第４，６９５，２７８号、米国特許第４，７０４，１１５号、米国特許第４，７９５，４５４号、米国特許第４，９００，３１７号、米国特許第４，９０９，８０３号（ＵＳＲＥ３４９２０として再発行）、米国特許第５，０８５，６５４号、米国特許第５，４９２，７５１号、米国特許第６，４７６，２８８号及びＳＩＲ  Ｈ１６３０に記載されるものが挙げられる。
【００６０】
例えば、吸収性物品は、液体及びその他の身体排泄物の改善された収容を提供する１つ又はそれ以上の第１カフを包含してもよい。第１カフはまた、外側レッグカフ、レッグバンド、サイドフラップ、レッグカフ、又は伸縮性カフと呼ばれる場合もある。米国特許第３，８６０，００３号には、弾性レッグカフを提供するためにサイドフラップ及び１以上の弾性部材を有する収縮可能な脚部開口部を提供する使い捨ておむつが記載されている。
【００６１】
更に本発明の吸収性物品は、液体及びその他の身体排泄物の収容を改善することもできる１以上の第２のカフを含んでいてもよい。第２カフはまた、障壁レッグカフ、内側レッグカフ、又は「立ち上がり」伸縮性フラップと呼ばれる場合もある。米国特許第４，８０８，１７８号及び米国特許第４，９０９，８０３号（ＵＳＲＥ３４９２０として再発行）は、脚領域の収容を改善する「立ち上がり」弾性化フラップを有する使い捨ておむつを記載する。
【００６２】
第１のカフ及び第２のカフは両方とも、米国特許第４，６９５，２７８号及び米国特許第４，７９５，４５４号に例示されるように、二重のカフによって提供されてもよい。追加のカフは、米国法定発明登録Ｈ１６３０に詳述されるように本発明の物品中に提供することが可能である。
【００６３】
本発明の物品又は複合体に含まれてもよい別の構成要素は、同時係属中の米国仮出願整理番号６０／５４３７８５（Ｐ＆Ｇ  Ｃａｓｅ９５２８Ｐ）に開示されるように疎水性表面コーティングである。この疎水性表面コーティングは、バリア層上の本発明のバリアコーティングと組であってもよく、又は本発明の吸収性物品又は複合体の１以上の追加の構成成分に隣接して配設されてもよい。例えば、この疎水性表面コーティングは、１以上のレッグカフ、ウエスト部分、又はその他の吸収性物品の領域の内面に配設されてもよい。
【００６４】
「発明を実施するための最良の形態」で引用したすべての文献は、関連部分において本明細書に参考として組み込まれるが、どの文献の引用も、それが本発明に関する先行技術であるとの容認と解釈されるべきではない。
【実施例】
【００６５】
実施例１
本発明に従う湿り度インジケータを含む吸収性物品は、次のように製造される。通気性ポリオレフィンフィルムは、クロペイ（Clopay）（オハイオ州シンシナティ）から市販されるＢＲ−１２０及びＢＲ−１２１のいずれかから選択される。こうしたフィルムのそれぞれは、１５００〜４０００ＭＶＴＲの通気性、及び２８ｇ／ｍ２の坪量を有し、印刷を行う材料として作用し得る。ウィンドモラー＆ヘルシャー・オリンピア（Windmoller & Holscher Olympia）７３６ＳＴ６カラー印刷機又は等価なフレキソ印刷機には、２つの別個の湿り度インジケータインクが充填される。第１の湿り度インジケータインクは、２０±５重量％のセラック及び６０±１０重量％のイソプロピルアルコール及び５〜１０重量％のヒドロキシプロピルセルロース及びシリカを含有するニスコーティングである。第２の湿り度インジケータインクは、３±１重量％の医薬品及び化粧品用レッド２７、６０±１０重量％のイソプロピルアルコール、５〜１０重量％のシリカ及びヒドロキシプロピルセルロースを含有する応答性色組成物である。フィルムは、まず３ｇ／ｍ２の付加重量及び１００ｍ／分の線速度にてニスコーティングで印刷される。ニスコーティングは、第２の湿り度インジケータインクで印刷される図形デザインより２０±５％大きい面積にて印刷され、その結果ニスコーティングは、印刷プロセス変動の間第２の湿り度インジケータインク図形を完全に覆う。
【００６６】
次いでフィルムは乾燥され、ロールに巻きつけられて保存される。この時点で印刷されたニスコーティング及び第２の湿り度インジケータインク図形は裸眼で完全に視認不可能である。このフィルムは、次いで、米国特許第３，８６０，００３号、米国特許第４，６３６，２０７号、米国特許第４，６９５，２７８号、米国特許第４，７０４，１１５号、米国特許第４，７９５，４５４号、米国特許第４，９００，３１７号、米国特許第４，９０９，８０３号（ＵＳＲＥ３４９２０として再発行）、米国特許第５，０８５，６５４号、米国特許第５，４９２，７５１号、米国特許第６，４７６，２８８号、米国特許第６，６２７，７８７号、米国特許第５，５０７，７６０号、米国特許第５，６０９，５８７号、米国特許第５，６３５，１９１号、米国特許第５，６４３，５８８号、米国特許第６，１１８，０４１号、ＳＩＲ  Ｈ１６３０、米国特許第５，２４６，４３３号、米国特許第５，７６９，８３８号、米国特許第５，８９９，８９５号、米国特許第５，８９９，８９６号、及び米国特許第６，１２０，４８７に開示される吸収性物品のいずれか１つに組み込まれる。こうした吸収性物品が濡れた時、画像が、約１分後に、衣類に面した物品のバックシート表面に現れ始める。約５分後、鮮やかなピンク画像がはっきりと現れる。
【００６７】
実施例２
本発明に従う湿り度インジケータを含む吸収性物品は、次のように製造される。通気性ポリオレフィンフィルムは、クロペイ（Clopay）（オハイオ州シンシナティ）から市販されるＢＲ−１２０及びＢＲ−１２１のいずれかから選択される。こうしたフィルムのそれぞれは、１５００〜４０００ＭＶＴＲの通気性、及び２８ｇ／ｍ２の坪量を有し、印刷を行う材料として作用し得る。ウィンドモラー＆ヘルシャー・オリンピア（Windmoller & Holscher Olympia）７３６ＳＴ６カラー印刷機又は等価なフレキソ印刷機には、２つの別個の湿り度インジケータインクが充填される。第１のインクは、３±１重量％の医薬品及び化粧品用レッド２７及び６０±１０重量％のイソプロピルアルコールを含む応答性色組成物である。第２の湿り度インジケータインクは、２０±５重量％のセラック、６０±１０重量％のイソプロピルアルコール及び５〜１０重量％のヒドロキシプロピルセルロース及びシリカを含有するニスコーティングである。フィルムは、まず３ｇ／ｍ２の付加重量及び１００ｍ／分の線速度にて応答性色組成物で印刷される。ニスコーティングは、同じ速度で添加されるが、第１インクで印刷される応答性色組成物図形より２０±５％大きい面積にて印刷され、その結果ニスコーティングは、印刷プロセス変動の間湿り度インクを完全に覆う。
【００６８】
次いでフィルムは乾燥され、ロールに巻きつけられて保存される。この時点で印刷されたニスコーティング及び応答性色組成物図形は裸眼で完全に視認不可能である。このフィルムは、次いで、米国特許第３，８６０，００３号、米国特許第４，６３６，２０７号、米国特許第４，６９５，２７８号、米国特許第４，７０４，１１５号、米国特許第４，７９５，４５４号、米国特許第４，９００，３１７号、米国特許第４，９０９，８０３号（ＵＳＲＥ３４９２０として再発行）、米国特許第５，０８５，６５４号、米国特許第５，４９２，７５１号、米国特許第６，４７６，２８８号、米国特許第６，６２７，７８７号、米国特許第５，５０７，７６０号、米国特許第５，６０９，５８７号、米国特許第５，６３５，１９１号、米国特許第５，６４３，５８８号、米国特許第６，１１８，０４１号、ＳＩＲ  Ｈ１６３０、米国特許第５，２４６，４３３号、米国特許第５，７６９，８３８号、米国特許第５，８９９，８９５号、米国特許第５，８９９，８９６号、及び米国特許第６，１２０，４８７に開示される吸収性物品のいずれか１つに組み込まれる。こうした吸収性物品が濡れた時、画像が、約１分後に衣類に面した物品のバックシート表面に現れ始める。約５分後、鮮やかなピンク画像がはっきりと現れる。
【００６９】
実施例３
本発明に従う湿り度インジケータを含む吸収性物品は、次のように製造される。通気性ポリオレフィンフィルムは、クロペイ（Clopay）（オハイオ州シンシナティ）から市販されるＢＲ−１２０及びＢＲ−１２１のいずれかから選択される。こうしたフィルムのそれぞれは、１５００〜４０００ＭＶＴＲの通気性、及び２８ｇ／ｍ２の坪量を有し、印刷を行う材料として作用し得る。ウィンドモラー＆ヘルシャー・オリンピア（Windmoller & Holscher Olympia）７３６ＳＴ６カラー印刷機又は等価なフレキソ印刷機には、３つの別個の湿り度インジケータインクが充填される。第１の湿り度インジケータインクは、２０±５重量％のセラック及び６０±１０重量％のイソプロピルアルコール及び５〜１０重量％のヒドロキシプロピルセルロース及びシリカを含有するニスコーティングである。第２の湿り度インジケータインクは、３±１重量％の医薬品及び化粧品用レッド２７及び６０±１０重量％のイソプロピルアルコールを含有する応答性色組成物である。第３の湿り度インジケータインクは、第１の印刷地点にて使用される同じニスコーティングである。フィルムは、まず３ｇ／ｍ２の付加重量及び１００ｍ／分の線速度にてニスコーティングで印刷される。第１のニスコーティング図形デザインは、第２の湿り度インジケータインクで印刷される図形デザインより２０±５％大きい面積にて印刷され、その結果ニスコーティングは、印刷プロセス変動の間第２の湿り度インジケータインク図形を完全に覆う。追加のニスコーティングである第３の湿り度インジケータインクはまた、第２の湿り度インジケータインクで印刷された図形より２０±５％大きい面積で印刷される。そのため、２つのニスコーティング層は、第２のインク図形を挟持する。
【００７０】
次いでフィルムは乾燥され、ロールに巻きつけられて保存される。この時点で印刷されたニスコーティング及び応答性色組成物図形は裸眼で完全に視認不可能である。このフィルムは、次いで、米国特許第３，８６０，００３号、米国特許第４，６３６，２０７号、米国特許第４，６９５，２７８号、米国特許第４，７０４，１１５号、米国特許第４，７９５，４５４号、米国特許第４，９００，３１７号、米国特許第４，９０９，８０３号（ＵＳＲＥ３４９２０として再発行）、米国特許第５，０８５，６５４号、米国特許第５，４９２，７５１号、米国特許第６，４７６，２８８号、米国特許第６，６２７，７８７号、米国特許第５，５０７，７６０号、米国特許第５，６０９，５８７号、米国特許第５，６３５，１９１号、米国特許第５，６４３，５８８号、米国特許第６，１１８，０４１号、ＳＩＲ  Ｈ１６３０、米国特許第５，２４６，４３３号、米国特許第５，７６９，８３８号、米国特許第５，８９９，８９５号、米国特許第５，８９９，８９６号、及び米国特許第６，１２０，４８７に開示される吸収性物品のいずれか１つに組み込まれる。こうした吸収性物品が濡れた時、画像が、約１分後に、衣類に面した物品のバックシート表面に現れ始める。約５分後、鮮やかなピンク画像がはっきりと現れる。
【００７１】
「発明を実施するための最良の形態」で引用したすべての文献は、関連部分において本明細書に参考として組み込まれるが、どの文献の引用も、それが本発明に関する先行技術であるとの容認と解釈されるべきではない。
【００７２】
本発明の特定の実施形態が説明及び記載されてきたが、本発明の精神及び範囲から逸脱することなく他の様々な変更及び修正を行えることが当業者には明白であろう。従って、本発明の範囲内にあるそのようなすべての変更及び修正を、添付の特許請求の範囲で扱うものとする。
【国際調査報告】
2007532273.tif 000003
2007532273.tif 000004
2007532273.tif 000005